(57)【特許請求の範囲】
【請求項１】
上面を有する機器本体の内部に格納し、前記機器本体の動作に応じて液体を前記機器本体に供給するための液体供給装置において、
前記機器本体の内部の定められた取付け位置に対して着脱自在であり、前記液体を貯えることのできるタンク部と、前記タンク部の上面に形成されたタンク上面とを備え、
前記タンク部の上側に液体入口が設けられており、前記タンク上面の前記液体入口に対応する位置に上方蓋が変位可能に設けられており、
前記タンク部を前記取付け位置に取り付けたときには、前記タンク上面が、前記タンク部を前記機器本体の内部に格納するために前記機器本体の上面に設けられた開口部を塞ぐことを特徴とする、液体供給装置。
【請求項２】
上面を有する機器本体の内部に格納し、前記機器本体の動作に応じて液体を前記機器本体に供給するための液体供給装置において、
前記機器本体の内部の定められた取付け位置に対して着脱自在であり、前記液体を貯えることのできるタンク部と、前記タンク部の上面に形成されたタンク上面とを備え、
前記タンク部の上側に液体入口が設けられており、前記タンク上面の前記液体入口に対応する位置に上方蓋が変位可能に設けられており、
前記タンク部を前記取付け位置に取り付けたときには、前記タンク上面が、前記機器本体の上面と略同じ高さに配置されることを特徴とする、液体供給装置。
【請求項３】
前記タンク上面は前記タンク部と一体的に形成されていることを特徴とする、請求項１または２に記載の液体供給装置。
【請求項４】
前記タンク上面に、前記タンク部を持ち運ぶ際に持つための取っ手を備えることを特徴とする、請求項１から３のいずれかに記載の液体供給装置。
【請求項５】
前記タンク部は、前記液体を前記タンク部の内部に入れるための液体入口を備え、前記液体入口は、前記タンク部を前記機器本体から取外している状態でのみ開けることができる、請求項１から４のいずれかに記載の液体供給装置。
【請求項６】
上面を有する機器本体と、
前記機器本体の内部に格納し、前記機器本体の動作に応じて液体を前記機器本体に供給するための液体供給装置とを備え、
前記液体供給装置は、
前記機器本体の内部の定められた取付け位置に対して着脱自在であり、前記液体を貯えることのできるタンク部と、前記タンク部の上面に形成されたタンク上面とを含み、
前記タンク部の上側に液体入口が設けられており、前記タンク上面の前記液体入口に対応する位置に上方蓋が変位可能に設けられており、
前記タンク部を前記取付け位置に取り付けたときには、前記タンク上面が、前記タンク部を前記機器本体の内部に格納するために前記機器本体の上面に設けられた開口部を塞ぐことを特徴とする、液体燃料燃焼装置。
【請求項７】
上面を有する機器本体と、
前記機器本体の内部に格納し、前記機器本体の動作に応じて液体を前記機器本体に供給するための液体供給装置とを備え、
前記液体供給装置は、
前記機器本体の内部の定められた取付け位置に対して着脱自在であり、前記液体を貯えることのできるタンク部と、前記タンク部の上面に形成されたタンク上面とを含み、
前記タンク部の上側に液体入口が設けられており、前記タンク上面の前記液体入口に対応する位置に上方蓋が変位可能に設けられており、
前記タンク部を前記取付け位置に取り付けたときには、前記タンク上面が、前記機器本体の上面と略同じ高さに配置されることを特徴とする、液体燃料燃焼装置。
【請求項８】
前記タンク上面は前記タンク部と一体的に形成されていることを特徴とする、請求項６または７に記載の液体燃料燃焼装置。
【請求項９】
前記タンク上面に、前記タンク部を持ち運ぶ際に持つための取っ手を備えることを特徴とする、請求項６から８のいずれかに記載の液体燃料燃焼装置。
【請求項１０】
前記タンク部は、前記液体を前記タンク部の内部に入れるための液体入口を備え、前記液体入口は、前記タンク部を前記機器本体から取外している状態でのみ開けることができる、請求項６から９のいずれかに記載の液体燃料燃焼装置。
【発明の詳細な説明】
【０００１】
【発明の属する技術分野】
本発明は、石油ファンヒータや石油ストーブなどの液体燃料燃焼装置に関するものである。さらに、これらの機器に搭載される、液体を貯えるためのタンクなどを含む液体供給装置に関するものである。
【０００２】
【従来の技術】
従来、暖房機器のうち液体燃料を使用するものとして石油ファンヒータが一般家庭などに広く用いられている。図５を参照して、従来の一般的な石油ファンヒータの外観について説明する。
【０００３】
石油ファンヒータにおいては、燃焼部や給油タンクは筐体１に収納されている。この筐体１は、前面をカバーする前板６と、側面および背面をカバーする側裏板７と、上面をカバーする上板８とから形成された箱型部材が置台５に載置されることによって構成されている。前板６の下部には、室内に温風を吹出す吹出口２が形成されている。前板６の上部には、運転状態を切換えるスイッチ類が収まった操作部３が配置されている。上板８には給油タンクの取出し口が設けられ、その取出し口には本体蓋４が開閉自在に配置されている。
【０００４】
図６を参照して、従来の第１の石油ファンヒータの内部について説明する。筐体の内部には、灯油などの燃料を貯めておくための給油タンク１２や、燃料を加熱して気化するための気化器１５や、燃料を気化されてできたガスを空気と混合して燃焼するための燃焼部１６などが収められている。給油タンク１２は、給油口２４の１ヶ所のみ開口しており、この給油口２４を下に向ける形で油受け部５００に接続されている。燃料は給油タンク１２から一旦、油受け部５００に流れ込み、貯められる。さらに、油受け部５００に貯められた燃料は、電磁ポンプ１４によってくみ上げられ、気化器１５に導かれる。
【０００５】
このような構造の場合、給油タンク１２に燃料を補給するために給油タンク１２を筐体から取出す際には、図７に示すように給油タンク１２の上部についた取っ手を持って持ち上げることとなる。そして、上下逆になるようにひっくり返して給油口２４から燃料を注入する必要があった。このひっくり返す作業が煩わしさをもたらしていた。また、給油口２４の給油口キャップ１９はネジ式になっていた。そのため、締め付ける力が不十分であると、再び給油口２４を下向きにしたときに給油口キャップ１９がはずれたり燃料が漏れたりするという問題があった。特に高齢者社会においては、高齢者は握力が低下しがちであるので、このような問題は深刻であった。
【０００６】
そこで、従来の第２の石油ファンヒータとして、図８に示すように、下向きの給油口２４をなくし、給油タンク１２の上側から直接配管を介して電磁ポンプ１４で燃料を取り出せる構造のものが提案されている。この構造では、給油口４４は上側に斜め上向きについている。したがって、給油タンク１２に燃料を補給する際には、図９に示すように、上側に持ち上げて運び、給油口キャップ３９を開ければよい。すなわち、従来の第１の石油ファンヒータの場合のようにひっくり返す必要もない。
【０００７】
【発明が解決しようとする課題】
従来の第２の石油ファンヒータの場合、燃料補給のために筐体１から給油タンク１２を取出すには、使用者は、図１０に示すように、筐体１の上板８に設けられた開口部の蓋である本体蓋４を手で開けて、内部に見える給油タンク１２の取っ手を持って引っ張り出す必要があった。また、給油タンク１２への燃料補給を終えて筐体１に給油タンク１２を収納するには、給油タンク１２を筐体１内部にセットして、本体蓋４を手で閉める必要があった。この本体蓋４の開け閉めの動作は、使用者に煩わしさを感じさせるものであった。
【０００８】
一方、給油タンク１２の上部には、燃料を送る配管を接続するためのジョイント部４７や、転倒などした際にジョイント部４７を保護するためのクッションカバー１２０が取付けられている。このため、給油タンク１２を取出した際には、使用者の目に付きやすい上部に、ジョイント部４７やクッションカバー１２０がむき出しとなり、見る者に煩雑な印象を与えていた。
【０００９】
そこで、本発明は、使用者に与える煩わしさを少なくし、見た目にもすっきりした液体供給装置および液体燃料燃焼装置を提供することを目的とする。
【００１０】
【課題を解決するための手段】
上記目的を達成するため、本発明に基づく液体供給装置の一つの局面では、上面を有する機器本体の内部に格納し、上記機器本体の動作に応じて液体を上記機器本体に供給するための液体供給装置において、上記機器本体の内部の定められた取付け位置に対して着脱自在であり、上記液体を貯えることのできるタンク部と、上記タンク部の上面に形成されたタンク上面とを備え、上記タンク部の上側に液体入口が設けられており、上記タンク上面の前記液体入口に対応する位置に上方蓋が変位可能に設けられており、上記タンク部を上記取付け位置に取り付けたときには、上記タンク上面が、上記タンク部を上記機器本体の内部に格納するために上記機器本体の上面に設けられた開口部を塞ぐことを特徴とする。この構成を採用することにより、この液体供給装置を取付け位置に取り付けたときには、この液体供給装置を収める機器本体は開口部のない形状となり、外観をすっきりとさせることができる。
【００１１】
また、上記目的を達成するため、本発明に基づく液体供給装置の他の局面では、上面を有する機器本体の内部に格納し、上記機器本体の動作に応じて液体を上記機器本体に供給するための液体供給装置において、上記機器本体の内部の定められた取付け位置に対して着脱自在であり、上記液体を貯えることのできるタンク部と、上記タンク部の上面に形成されたタンク上面とを備え、上記タンク部の上側に液体入口が設けられており、上記タンク上面の前記液体入口に対応する位置に上方蓋が変位可能に設けられており、上記タンク部を上記取付け位置に取り付けたときには、上記タンク上面が、上記機器本体の上面と略同じ高さに配置されることを特徴とする。この構成を採用することにより、この液体供給装置を取付け位置に取り付けたときには、この液体供給装置を収める機器本体は上面に一体感を有する形状となり、外観をすっきりとさせることができる。
【００１２】
上記発明において好ましくは、上記タンク上面は上記タンク部と一体的に形成されていることを特徴とする。この構成を採用することにより、この液体供給装置を収める機器本体においては、タンク部とタンク上面とを一体的に取り扱うことができ、従来別個に設けていた本体蓋が不要となる。その結果、使用者は本体蓋を開閉する必要がなくなり、作業労力を軽減することができる。
【００１３】
上記発明において好ましくは、上記タンク上面に、上記タンク部を持ち運ぶ際に持つための取っ手を備えることを特徴とする。この構成を採用することにより、使用者は取っ手を持って液体供給装置ごとタンク部を持ち上げることができるため、作業性が向上する。
【００１４】
上記発明において好ましくは、上記タンク部は、上記液体を上記タンク部の内部に入れるための液体入口を備え、上記液体入口は、上記タンク部を上記機器本体から取外している状態でのみ開けることができる。この構成を採用することにより、この液体供給装置においては、タンク部を機器本体内部に収納したままで補給作業を行なうという事態を防止でき、安全を確保することができる。
【００１５】
上記目的を達成するため、本発明に基づく液体燃料燃焼装置の一つの局面では、上面を有する機器本体と、上記機器本体の内部に格納し、上記機器本体の動作に応じて液体を上記機器本体に供給するための液体供給装置とを備え、上記液体供給装置は、上記機器本体の内部の定められた取付け位置に対して着脱自在であり、上記液体を貯えることのできるタンク部と、上記タンク部の上面に形成されたタンク上面とを含み、上記タンク部の上側に液体入口が設けられており、上記タンク上面の前記液体入口に対応する位置に上方蓋が変位可能に設けられており、上記タンク部を上記取付け位置に取り付けたときには、上記タンク上面が、上記タンク部を上記機器本体の内部に格納するために上記機器本体の上面に設けられた開口部を塞ぐことを特徴とする。この構成を採用することにより、この液体燃料燃焼装置においては、液体供給装置を取付け位置に取り付けたときには、機器本体は開口部のない形状となり、外観をすっきりとさせることができる。
【００１６】
また、上記目的を達成するため、本発明に基づく液体燃料燃焼装置の他の局面では、上面を有する機器本体と、上記機器本体の内部に格納し、上記機器本体の動作に応じて液体を上記機器本体に供給するための液体供給装置とを備え、上記液体供給装置は、上記機器本体の内部の定められた取付け位置に対して着脱自在であり、上記液体を貯えることのできるタンク部と、上記タンク部の上面に形成されたタンク上面とを含み、上記タンク部の上側に液体入口が設けられており、上記タンク上面の前記液体入口に対応する位置に上方蓋が変位可能に設けられており、上記タンク部を上記取付け位置に取り付けたときには、上記タンク上面が、上記機器本体の上面と略同じ高さに配置されることを特徴とする。この構成を採用することにより、この液体燃料燃焼装置においては液体供給装置を取付け位置に取り付けたときには、機器本体は上面に一体感を有する形状となり、外観をすっきりとさせることができる。
【００１７】
上記発明において好ましくは、上記タンク上面は上記タンク部と一体的に形成されていることを特徴とする。この構成を採用することにより、この液体燃料燃焼装置においては、タンク部とタンク上面とを一体的に取り扱うことができ、従来別個に設けていた本体蓋が不要となる。その結果、使用者は本体蓋を開閉する必要がなくなり、作業労力を軽減することができる。
【００１８】
上記発明において好ましくは、上記タンク上面に、上記タンク部を持ち運ぶ際に持つための取っ手を備えることを特徴とする。この構成を採用することにより、使用者は取っ手を持って液体供給装置ごとタンク部を持ち上げることができるため、作業性が向上する。
【００１９】
上記発明において好ましくは、上記タンク部は、上記液体を上記タンク部の内部に入れるための液体入口を備え、上記液体入口は、上記タンク部を上記機器本体から取外している状態でのみ開けることができる。この構成を採用することにより、この液体燃料燃焼装置においては、液体供給装置のタンク部を機器本体内部に収納したままで補給作業を行なうという事態を防止でき、安全を確保することができる。
【００２０】
【発明の実施の形態】
（実施の形態１）
（構成）
図１を参照して、本発明に基づく実施の形態１として本発明の液体供給装置を用いた液体燃料燃焼装置として石油ファンヒータの例について説明する。なお、本実施の形態において、従来の技術の欄で説明した石油ファンヒータと同一の構成については、同一の符号を付している。
【００２１】
この液体供給装置においては、タンク部としての給油タンク１２の上側に、タンク上面４００が一体的に固定されている。タンク上面４００には、給油タンク１２を運びやすいようにする取っ手４０１が設けられている。取っ手４０１は、不使用時にはタンク上面４００の同一平面内に収まり、使用時にのみタンク上面４００から引き起こす構造となっている。また、タンク上面４００には、給油口４４から燃料を補給する際にタンク上面４００が邪魔にならないように変位させることのできる給油口上方蓋４０２が設けられている。給油口上方蓋４０２も、閉めてある状態では、タンク上面４００の同一平面内に収まる構造となっている。
【００２２】
その他、給油タンク１２の上部にジョイント部４７と、クッションカバー１２０が配置されている点は、従来のものと同様である。給油タンク１２の上側に斜面があり、その斜面には液体入口としての給油口４４が設けられ、給油口キャップ３９によって塞がれている点も従来のものと同様である。
【００２３】
この液体供給装置を筐体１内に収納した状態の断面図を、図２に示す。タンク上面４００は、筐体１の上板８のなす面と略同じ高さとなり、連続した面となる。また、タンク上面４００は、上板８の有する開口部を塞ぐ構造となっている。
【００２４】
給油口４４の近傍の、図２とは異なる角度からの断面図を、図３に示す。給油口４４には給油口キャップ３９が設けられており、給油口４４は斜面に配置されているため、給油タンク１２を筐体１内部に収納したままでは、給油口キャップ３９を開けることができない構造となっている。給油口キャップ３９は、給油タンク１２を筐体１から取出した状態でのみ開けることができる。
【００２５】
本実施の形態における液体燃料燃焼装置は、上述のような液体供給装置を備えた液体燃料燃焼装置であり、外観は、図５に示すものと同様である。
【００２６】
（作用・効果）
この液体供給装置においては、給油タンク１２にタンク上面４００が一体的に固定されており、タンク上面４００は、液体供給装置の筐体１への収納時には筐体１の上板８のなす面と略同じ高さとなるため、液体燃料燃焼装置は上面に一体感を有することとなり、外観がすっきりする。また、タンク上面４００が上板８の開口部を塞ぐ構造となっているため、従来のように上板８の開口部を開閉する本体蓋４は不要であり、使用者は、本体蓋４を開閉する必要がなくなる。
【００２７】
液体供給装置の出し入れの際に必要となる取っ手４０１は、タンク上面４００の同一平面内に収まり、使用時にのみタンク上面４００から引き起こすように設けられているため、取っ手４０１の不使用時には取っ手が邪魔になることはなく、使用時には容易に引き起こして把持することができ、使用者にとって便利である。
【００２８】
給油口４４が給油タンク１２の斜面に配置されることによって、給油タンク１２を筐体１内部に収納したままでは、給油口キャップ３９を開けることができない構造となっているため、使用者の怠慢や無知などに起因して給油タンク１２を筐体１内部に収納したままで補給作業を行なうという事態を防止でき、安全を確保することができる。
【００２９】
また、ジョイント部４７やクッションカバー１２０がタンク上面４００の陰に隠れることとなるため、見た目の煩雑な印象を解消することができる。
【００３０】
この液体供給装置を備える液体燃料燃焼装置によっても、上記各々と同様の効果が得られる。
【００３１】
（組立）
この液体供給装置の組立について概略を説明する。図４に示すように、給油タンク１２は、略平板状の給油タンク左部材１２ａと、断面Ｕ字形の左側面開放の容器形状にプレス成形された給油タンク右部材１２ｂとがアドリャン加工により、接合されて略直方体形状に形成されたものである。給油タンク１２は、上方（図４における上）から見て略長方形であるが、右前側のジョイント部４７のある側のコーナーが面取りされている。この面取りがあることにより、使用者が給油タンク１２を間違った向きで筐体１内に収納しようとした場合、上板８の開口部の形状と一致せず入れることができない。この結果、間違った収納を防止できる。一方、右後ろ側上部の給油口４４に当たる箇所は上向きの斜面によって角を切り落とした形状となっている。各辺は、それぞれＲ形状となっている。タンク上面４００は、タンク上面取付け板４０３にネジなどで固定される。
【００３２】
（他の機器への適用）
なお、本実施の形態では、液体供給装置は、暖房機器における液体燃料の供給のためのものを例にとって説明したが、本発明に基づく液体供給装置は、この用途に限られない。本発明は、何らかの液体を保持して動作する他の機器においても適用可能である。たとえば、液体として水を使用する機器である、加湿機においても適用可能である。
【００３３】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【００３４】
【発明の効果】
本発明によれば、従来の本体蓋を兼ねるタンク上面がタンク部に一体的に固定されているため、タンク部とタンク上面とを一体的に取り扱うことができ、従来別個に設けていた本体蓋を不要となる。その結果、液体の補給または交換時に使用者は本体蓋を開閉する必要がなくなり、作業労力を軽減することができる。
【図面の簡単な説明】
【図１】  本発明に基づく実施の形態１における液体供給装置の斜視図である。
【図２】  本発明に基づく実施の形態１における液体供給装置を筐体内に収納した状態の第１の断面図である。
【図３】  本発明に基づく実施の形態１における液体供給装置を筐体内に収納した状態の第２の断面図である。
【図４】  本発明に基づく実施の形態１における液体供給装置のタンク上面取付け前の状態の斜視図である。
【図５】  従来技術に基づく石油ファンヒータの斜視図である。
【図６】  従来技術に基づく第１の石油ファンヒータの内部構造の概念図である。
【図７】  従来技術に基づく第１の液体供給装置を手で持ち上げた状態の図である。
【図８】  従来技術に基づく第２の石油ファンヒータの内部構造の概念図である。
【図９】  従来技術に基づく第２の液体供給装置を手で持ち上げた状態の図である。
【図１０】  従来技術に基づく第２の石油ファンヒータにおける燃料補給作業の説明図である。
【符号の説明】
１  筐体、２  吹出口、３  操作部、４  本体蓋、５  置台、６  前板、７  側裏板、８  上板、１２  給油タンク、１２ａ  給油タンク左部材、１２ｂ  給油タンク右部材、１４  電磁ポンプ、１５  気化器、１６  燃焼部、１９，３９給油口キャップ、２４，４４  給油口、４７  ジョイント部、１２０  クッションカバー、４００  タンク上面、４０１  取っ手、４０２  給油口上方蓋、４０３  タンク上面取付け板、５００  油受け部。
【図１】
0003866917.tif 000002
【図２】
0003866917.tif 000003
【図３】
0003866917.tif 000004
【図４】
0003866917.tif 000005
【図５】
0003866917.tif 000006
【図６】
0003866917.tif 000007
【図７】
0003866917.tif 000008
【図８】
0003866917.tif 000009
【図９】
0003866917.tif 000010
【図１０】
0003866917.tif 000011